(57)【要約】【課題】  ＬＰＨを使用する画像形成装置では、帯電装置とＬＥＤヘッドとの間に、トナーを遮断するシート材を設けている。このシート材はトナーの通過を阻止するため、トナーが徐々に溜まってくる。トナーの量が大きくなると、シート材を通過してＬＥＤに付着する。本発明はこれを防止するものである。【解決手段】  シート材３６ａをソレノイド３６ｂのプランジャ３６ｃに取り付け、進退可能にする。シート材にトナーの塊Ｔが溜まってきたら、ソレノイド３６ｂを作動させ、シート材３６ａを送り込み、シート材３６ａでＬＥＤヘッド３２を覆いながら、トナーの塊Ｔにシート材３６ａを通過させて除去する。【選択図】      図２
2009075349.tif 000002
【特許請求の範囲】
【請求項１】
感光体の周囲に、前記感光体の表面を帯電する帯電装置と、帯電された感光体の表面に原稿画像を結像させて静電潜像を形成するＬＥＤヘッドと、前記静電潜像をトナーで現像してトナー像とする現像装置と、前記トナー像を用紙上に転写する転写装置と、転写後に前記感光体の表面に残存するトナーを除去するクリーニング装置とを前記感光体の回転方向に沿って配置し、前記帯電装置と前記ＬＥＤヘッドとの間にシート材とこのシート材を進退させる駆動手段とを備えた遮蔽手段を設け、前記駆動手段が前記シート材を後退させたときはシート材の先端が前記感光体の表面に接した状態でＬＥＤヘッドが感光体へ照射するのを許容し、シート材が前進して前記感光体の表面と接した状態では、シート材が前記ＬＥＤヘッドと感光体との間を遮蔽することを特徴とする画像形成装置。
【請求項２】
前記感光体が円筒形のドラム状で、前記シート材が先端部にカールを有し、前記カールが前記感光体の円筒形状に沿う形状であることを特徴とする請求項１に記載の画像形成装置。
【請求項３】
前記シート材が、先端にシート材の平面と交差する方向にカエリを有し、前記カエリが、前記シート材の感光体との接触面に対して反対側に位置することを特徴とする請求項１又は２に記載の画像形成装置。
【請求項４】
前記シート材が、架台に取り付けられており、前記架台が一端をヒンジ結合され、他端が開閉自在となっていることを特徴とする請求項１から３のいずれかに記載の画像形成装置。
【請求項５】
画像形成動作を停止したとき、前記駆動手段が前記シート材を前進させることを特徴とする請求項１から３のいずれかに記載の画像形成装置。
【請求項６】
予め決められた枚数の用紙に画像を形成した場合、前記駆動手段が前記シート材を前進させることを特徴とする請求項１から５のいずれかに記載の画像形成装置。
【発明の詳細な説明】
【技術分野】
【０００１】
本発明は、複写機、ファクシミリ、プリンタ等の画像形成装置に関し、より詳しくはＬＥＤプリントヘッド（ＬＰＨ）を備えた画像形成装置における、ＬＰＨの防塵部材の清掃に関する。
【背景技術】
【０００２】
画像形成装置の感光体への画像書込装置としてＬＥＤアレイを用いたＬＥＤプリントヘッド（ＬＰＨ）が知られている。ＬＰＨは高密度に配置されたＬＥＤアレイからの変調光を収束性ロッドレンズアレイで感光体上に導いて結像させるものである。解像度に対応した数だけＬＥＤ発光素子を一列又は千鳥型等に並べて光走査機構を構成しているため光走査系の小型化を実現することができる。
【０００３】
このようなＬＰＨでは、収束性ロッドレンズアレイと感光体との間の距離が、２〜３ｍｍと非常に接近している。一方、感光体の周辺には、感光体の回転方向に沿って、帯電装置、ＬＥＤアレイ、現像装置、転写装置、クリーニング装置等が配置されている。そして、帯電装置で、感光体の表面を均一に帯電させ、この上にＬＥＤアレイで原稿画像を結像させ、原稿画像の静電潜像を形成する。この静電潜像を現像装置のトナーで現像し、転写装置でトナー像を転写する。転写後の感光体表面には、微量のトナーが残存しているので、クリーニング装置でこの残存トナーを除去し、再度、帯電装置で帯電するようにしている。
【０００４】
しかしながら、クリーニング装置を通過した感光体の表面上には、非常に微量ではあるが、トナーが残存している。また、感光体の表面には、感光体が回転することにより生じる気流があり、この気流内にトナーが浮遊している。これらのトナーが、ＬＥＤアレイの収束性ロッドレンズアレイに付着すると、白筋などの画像不良が発生する。
【０００５】
そこで、特許文献１では、帯電装置とＬＥＤアレイとの間に、気流遮断手段として、シート状の弾性部材を設けることを提案している。このシート状の弾性部材は、その先端が感光体の表面と常時接触するようになっていて、感光体の回転に伴って発生する表面の気流をここで遮断して浮遊トナーをせき止め、かつ、感光体の表面上に付着しているトナーの侵入をも防止することができる。
【特許文献１】特開２００６−２４３４４２
【発明の開示】
【発明が解決しようとする課題】
【０００６】
しかしながら、特許文献１に記載の気流遮断手段としての弾性部材は、先端が感光体の表面に接触して、感光体の表面上のトナーや、浮遊しているトナーをここでせき止めるだけで、これらを除去することはできない。せき止められたトナーは、シート状の弾性部材のところに溜まる。溜まった量がある程度になると、固まりとなって、シート状の弾性部材をめくって通過し、ＬＥＤに付着する。
【０００７】
本発明は、このような問題の解決を図ることを目的としたもので、溜まったトナーをＬＥＤに付着させることなく、除去することができるＬＰＨを備えた画像形成装置を提供しようとするものである。
【課題を解決するための手段】
【０００８】
上記の目的を達成するために本発明の画像形成装置は、感光体の周囲に、前記感光体の表面を帯電する帯電装置と、帯電された感光体の表面に原稿画像を結像させて静電潜像を形成するＬＥＤヘッドと、前記静電潜像をトナーで現像してトナー像とする現像装置と、前記トナー像を用紙上に転写する転写装置と、転写後に前記感光体の表面上に残存するトナーを除去するクリーニング装置とを前記感光体の回転方向に沿って配置し、前記帯電装置と前記ＬＥＤヘッドとの間にシート材とこのシート材を進退させる駆動手段とを備えた遮蔽手段を設け、前記駆動手段が前記シート材を後退させたときはシート材の先端が前記感光体の表面に接した状態でＬＥＤヘッドが感光体へ照射するのを許容し、シート材が前進して前記感光体の表面と接した状態では、シート材が前記ＬＥＤヘッドと感光体との間を遮蔽することを特徴としている。
【０００９】
前記感光体が円筒形のドラム状で、前記シート材が先端部にカールを有し、前記カールが前記感光体の円筒形状に沿う形状である構成としたり、前記シート材が、先端にシート材の平面と交差する方向にカエリを有し、前記カエリが、前記シート材の感光体との接触面に対して反対側に位置する構成としたり、前記シート材が、架台に取り付けられており、前記架台が一端をヒンジ結合され、他端が開閉自在となっている構成としたり、画像形成動作を停止したとき、前記駆動手段が前記シート材を前進させる構成としたり、予め決められた枚数の用紙に画像を形成した場合、前記駆動手段が前記シート材を前進させる構成とすることができる。
【発明の効果】
【００１０】
本発明によれば、感光体の表面上に残存するトナーや浮遊するトナーをシート材で堰き止めるので、ＬＥＤにトナーが付着するのを防止できる。また、シート材に溜まったトナーを除去するとき、シート材でＬＥＤをカバーするので、このときでもＬＥＤにトナーが付着するのを防止することができる。
【００１１】
シート材にカールがある場合、カールを感光体の円筒形状に沿うようにすると、シート材と感光体との接触が密になり、トナーの漏れを防止することができる。
【００１２】
シート材にカエリがある場合、カエリが、前記シート材の感光体の接触面に対して反対側に位置するようにすることで、シート材の先端を隙間なく感光体に接触させることができ、トナーの通過を防止することができる。
【００１３】
シート材を架台に取り付け、架台を開閉自在にすることによって、メンテナンス時の点検作業や清掃作業が容易にできるようになる。
【００１４】
画像形成動作を停止したとき、前記駆動手段が前記シート材を前進させる構成とすることで、画像形成動作に影響を与えることなく、溜まったトナーの除去ができる。
【００１５】
予め決められた枚数の用紙に画像を形成すると、駆動手段が前記シート材を前進させる構成とすることで、自動的に溜まったトナーを除去することが可能となる。
【発明を実施するための最良の形態】
【００１６】
以下、本願発明に係る画像形成装置の実施の形態を添付図面に基づいて説明する。図１は本発明の画像形成装置１００の全体構成図である。この画像形成装置１００は、自動原稿搬送装置１０、画像読取部２０、画像処理部２８、画像形成部３０、給紙部４０、定着装置５０、排紙部６０、自動両面コピーのための再搬送路６４を備えて構成されている。画像形成装置１００の本体上部には画像読取部２０と、さらにその上に自動原稿搬送装置１０が搭載されている。
【００１７】
自動原稿搬送装置１０は、原稿台１１、排紙台１９、給紙機構１３を構成する原稿押圧板１２と複数のローラ群１４，１５，１６及び原稿搬送路から構成されている。給紙機構１３のローラ群は、原稿を原稿台１１から１枚ずつ引出すピックアップローラ１４、原稿搬送路に送り出すフィードローラ１５及び原稿の重送を防止する分離ローラ１６の３種類のローラから構成されている。
【００１８】
原稿台１１は、原稿を複数枚セット可能な給紙皿を有し、この給紙皿には原稿の幅方向に位置決めを行う一対の規制板１８が幅方向に移動可能に設けられている。原稿台１１上に複写面を上向きにして載置された原稿は、原稿押圧板１２により上方に付勢されてピックアップローラ１４に接触し、ピックアップローラ１４の回転により原稿台１１から給紙され、フィードローラ１５及び分離ローラ１６により一枚ずつ分離されて原稿搬送路に送り込まれる。
【００１９】
原稿搬送路の先には画像読取部２０との境にスリットガラス１７が設けられ、原稿台１１の下方には排紙台１９が設けられている。給紙機構１３により原稿搬送路に送り出された原稿はスリットガラス１７上を通過する時に画像読取部２０によってその画像が読み取られ、その後、排紙路上を搬送されて排紙台１９上に載置される。
【００２０】
画像読取部２０は原稿を照射する光源Ｌとミラー２２からなる走査ユニット２１、反射光をガイドする二枚のルーフミラー２３，２４からなる走行体２５、結像レンズ２６及びＣＣＤイメージセンサ２７（以下、ＣＣＤセンサ２７という）から構成されている。画像読取部２０では、原稿が原稿搬送路中に設けられたスリットガラス１７上を通過する際に、スリットガラス１７の下方に停止した走査ユニット２１の光源Ｌが原稿を照射することにより画像データを読み取り、その反射光が二枚のルーフミラー２３，２４からなる走行体２５および結像レンズ２６を経てＣＣＤセンサ２７上に導かれ結像する。
【００２１】
ＣＣＤセンサ２７では、読み取った光画像を電子画像データに変換してシステム基板上に形成される画像処理部２８に送る。画像処理部２８は、この電子画像データにアナログ処理、Ａ／Ｄ変換、シェーディング補正、画像圧縮処理等を行った後、ディジタル化した画像情報のデータを画像形成部３０のＬＥＤヘッド３２へ転送する。
【００２２】
画像形成部３０は、表面に潜像が形成されるドラム状の感光体１を中央に有しており、回転する感光体１の表面に沿って動作順に、この感光体１の表面をほぼ一様に帯電する帯電装置３１と、感光体１の表面上に静電潜像の書き込みを行うＬＥＤヘッド３２と、感光体１の表面に形成された潜像をトナーで現像してトナー像を形成する現像装置３３と、感光体１が担持するトナー像を記録紙Ｐに転写し、記録紙Ｐを感光体１から分離する転写分離装置３４、及び転写後の感光体１の表面を清掃するクリーニング装置３５が配設されている。
【００２３】
画像形成部３０の書き込みを行うＬＥＤヘッド３２は、感光体１の表面に近接して設けられ、感光体１の幅方向に、画像解像度に相当する数だけ高密度に並べられたＬＥＤを有して構成されている。このＬＥＤヘッド３２では、ディジタル化された画像情報データをもとに、一列に並べられたＬＥＤの駆動電流をそれぞれ変調し、さらに感光体１を回転させることで副走査を行って原稿画像の静電潜像を感光体１上に再現する。
【００２４】
露光に先立ち、感光体１上には、帯電装置３１のコロナ放電により所定の表面電荷が付与されているが、ＬＥＤヘッド３２からの光の照射により露光部分の電荷が露光量に応じて減じられ，結果として画像情報データに応じた静電潜像がそれぞれの感光体１上に形成される。静電潜像は、現像装置３３から供給されたトナーにより可視化されてトナー像となる。
【００２５】
画像形成装置１００本体の下部には、給紙部４０が設けられている。記録紙Ｐを収容する給紙カセット４１の底部には持ち上げ手段により上方向に持ち上げられる可動板４２が配置されている。記録紙Ｐの載置された可動板４２は給紙開始信号を受けて上限検知センサで限定される上限位置まで記録紙Ｐを持ち上げる。同時にピックアップローラ４３は落下し、載置された記録紙Ｐの最上位のものがピックアップローラ４３に接触するように構成されている。
【００２６】
ピックアップローラ４３に接触した記録紙Ｐは給紙カセット４１から給紙され、フィードローラ４４、分離ローラ４５によって一枚ずつ分離されて送り出された後、中間ローラ４６にガイドされてレジストローラ４７まで搬送される。記録紙Ｐはレジストローラ４７により記録紙Ｐの曲がり矯正と給紙タイミングがとられて転写分離装置３４に搬送され、感光体１の表面上に形成されたトナー像が転写分離装置３４において記録紙Ｐ上に一括転写される。
【００２７】
トナー像が転写され感光体表面から分離された記録紙Ｐは、垂直方向に形成された用紙搬送路Ｂを通って定着装置５０まで搬送されて定着処理される。定着処理のため加熱された記録紙Ｐは、図示しない冷却ファンにより冷却され、排紙ローラ６１により排紙されて排紙台６２上に載置される。或いは排紙路切換板６３により再搬送路６４に送り込まれた片面画像処理済みの記録紙Ｐは、再び画像形成部３０において両面画像処理された後、排紙部６０の排紙ローラ６１により排紙台６２上に排紙される。
【００２８】
図２は、図１のＬＰＨの周辺部分を拡大した図で、（ａ）はシート材が通常の位置にある場合で、（ｂ）はシート材が堆積したトナーを除去する位置に移動した場合である。
【００２９】
ＬＥＤ３２及び帯電装置３１を支持している架台３７には、帯電装置３１とＬＥＤ３２が取り付けられており、これらの間に遮蔽手段３６が設けられている。遮蔽手段３６は、シート材３６ａと、このシート材３６ａを進退させる駆動手段としてのプランジャ３６ｃを有するソレノイド３６ｂを備えている。このシート材３６ａは、感光体１表面上に残存しているトナーがＬＥＤ３２に到達しないように阻止するとともに、感光体１上に発生する気流も塞ぎ、感光体１の周辺に浮遊するトナーについてもＬＥＤ３２に到達しないようにするためのものである。
【００３０】
このような目的から、シート材３６ａの幅（感光体の回転方向と直交する方向）は、円筒形状の感光体１の軸方向の長さと同じか、それより若干長くなっている。一方長さは、感光体１の周囲に発生する空気流を遮断できる程度であればよく、必ずしも架台３７まで届いている必要はない。ソレノイド３６ｂは、たとえば、感光体１の軸方向の中心位置に１つ、或いは両端に１つずつ、或いは中心と両端に合わせて３カ所というように設けられ、全長に亘って（ａ）の状態と（ｂ）の状態の間を、一斉に進退できるようになっている。この配置は、後述する偏心カムを用いた場合や、ねじ軸を用いた場合でも同じである。
【００３１】
シート材３６ａは、合成樹脂製で、先端が感光体１に圧接してトナーの通過（漏れ）を阻止することができる程度に適当な弾性と、絶縁性があり、感光体１の表面を傷つけない素材であれば種々の素材を使用することができる。
【００３２】
シート材３６ａは、ソレノイド３６ｂのプランジャ３６ｃに固定され、ソレノイド３６ｂへの通電のオン、オフにより、シート材３６ａも進退する。
【００３３】
図２（ａ）は、プランジャ３６ｃが最も後退した状態で、このとき、シート材３６ａの先端は、感光体１の表面に軽く圧接した状態となっている。この状態は、画像形成装置１００が画像を形成しているとき、または、画像形成装置１００が停止しているときの状態である。感光体上に付着しているトナーや、感光体１の表面に流れている空気流に浮遊しているトナーは、このシート材３６ａに遮られてここを通過することができない。
【００３４】
画像形成装置１００が画像を形成するたびにシート材３６ａの上流側（帯電装置３１側）には、少しずつトナーが溜まってくる。トナーの溜まりがある程度になったら、トナーが塊となってシート材３６ａをくぐり抜けてしまう。そして、くぐり抜けたトナーがＬＥＤに付着する。これを防止するために、溜まったトナーを除去する必要がある。
【００３５】
溜まったトナーの除去方法は、以下のように行う。まず、画像形成装置１００の画像形成動作を停止する。そして、プランジャ３６ｃを図２（ｂ）に示すように突出位置にする。これによって、シート材３６ａは、感光体１の回転方向に進み、シート材３６ａがＬＥＤ３２と感光体１との間に入り、ＬＥＤ３２の先端部分（光の通る路）をカバーする。このとき、シート材３６ａの先端近くの上流側に溜まっていたトナーＴは、プランジャ３６ｃの突出に伴うシート材３６ａの進行に連れて感光体１の表面上を滑って移動し、シート材３６ａの先端をくぐり抜けて矢印ａの方向に飛び出して落下する。こうすることで、シート材３６ａの上流側に溜まっていたトナーの塊Ｔを除去することができる。除去するとき、シート材３６ａがＬＥＤの先端を遮蔽しているので、トナーがＬＥＤに付着するのを防止することができる。
【００３６】
帯電装置３１、ＬＥＤ３２及び遮蔽手段３６は、架台３７に支持されている。架台３７は、一端がヒンジ３７ａで係止され、他端３７ｂは、矢印ｂ方向に回動可能である。メンテナンスの場合には、架台３７を矢印ｂに示す方向に開いて、感光体１の点検や、周辺の掃除等を行うことができる。
【００３７】
図３は、本発明の第２実施例で、遮蔽手段１３６が偏心カムで駆動される例を示し、（ａ）はシート材が通常の位置にある場合で、（ｂ）はシート材が堆積したトナーを除去する位置に移動した場合である。
【００３８】
遮蔽手段１３６は、シート材３６ａと、駆動手段としての偏心カム１３６ｂ、カムロッド１３６ｃ、コイルばね１３６ｄ及びモータとから構成されている。コイルばね１３６ｄは、カムロッド１３６ｃが常時偏心カム１３６ｂに圧接するように付勢している。
【００３９】
偏心カム１３６ｂは、図示しないモータによって回転し、１／２回転することでシート材３６ａを図３（ａ）の状態から図３（ｂ）の状態へと移動し、溜まったトナーＴを除去する。除去が終了すると、モータは偏心カム１３６ｂをさらに１／２回転させて、図３（ａ）の状態に戻す。
【００４０】
図４は、本発明の第３実施例で、シート材３６ａがねじ軸で駆動される例である。この遮蔽手段２３６は、シート材３６ａと、駆動手段としてのねじ軸２３６ｂ、ウォームギヤ２３６ｃ及びモータ２３６ｄから構成されている。ウォームギヤ２３６ｃは、ねじ軸と螺合するウォームホイールと、モータ２３６ｄの回転軸に固定され、ウォームホイールと噛み合う螺旋状のウォームギヤとから構成されている。
【００４１】
トナーの除去の仕方は図２、図３の例と同じである。すなわち、モータ２３６ｄが一方に回転すると、シート材３６ａは図２（ａ）のシート材の位置から、図２（ｂ）のシート材３６ａの位置まで移動し、溜まったトナーＴを除去する。モータ２３６ｄが逆転することで、（ｂ）から元の（ａ）の位置に戻る。
【００４２】
図５は、シート材３６ａの変化例で、（ａ）はカールのある場合、（ｂ）はカエリのある場合である。シート材３６ａは平坦でなく、カールを有する場合がある。その場合は、カールＣが感光体１の表面に沿うようにシート材３６ａを取り付けることが望ましい。カールＣを感光体１の表面に沿う回転方向にすることによって、シート材３６ａの先端と感光体１の表面とが、当接し易くなり、気流の遮断やトナーの移動を確実に防止することができることになる。
【００４３】
シート材３６ａは、前述したように合成樹脂のシートからプレスなどによって切断して形成されるが、プレスで切断すると、図５（ｂ）に示すように、シート材３６ａの片面側に棘のようなカエリＤができる。このカエリＤが感光体１の表面側にくると、シート材３６ａと感光体１との間に隙間ができ、トナーが通過してＬＥＤ３２に付着する。そこで、カエリＤが感光体１の接触面に対して反対側に向くように取り付けるとよい。
【００４４】
図６は、シート材３６ａと感光体１との接触角θを示す図である。シート材３６ａと感光体１との接触角θは、３０〜９０゜の範囲が望ましい。３０゜未満の場合は、溜まったトナーが通常の状態（図２（ａ）の状態）で、シート材３６ａを通過し易くなり、トナーがＬＥＤ３２に付着する可能性が生じるからである。９０゜を超えると、溜まったトナーを排除するとき、すなわち、図２（ｂ）の状態にしようとするとき、シート材３６ａが逆方向に向かってしまうことになるからである。
【００４５】
図７は本発明の画像形成装置の制御系統のブロック図である。制御部１１０は画像形成装置１００の設定内容等を表示する表示部と、画像形成枚数や各種設定値を入力するための操作部とが一体となった表示・操作部１１２、給紙装置１１３、原稿を読み込む為のＣＣＤセンサ２７、画像形成部３０等を協働するように制御するものである。
【００４６】
制御部１１０内には、ＣＣＤセンサ２７で読みとった電子画像データをアナログ処理、Ａ／Ｄ変換、シェーディング補正、画像圧縮処理等を行う画像処理部２８がある。画像処理部２８に記憶されたディジタル化した画像情報のデータは、画像形成部３０に送られ、ＬＥＤ３２から感光体１の表面に照射され、原稿の画像を結像する。
【００４７】
また、制御部１１０内には、複写枚数をカウントする枚数カウンタ１１４がある。この枚数カウンタ１１４は、画像形成装置１００で感光体１が回転することで形成した画像の枚数をカウントするものである。
【００４８】
枚数カウンタ１１４は、遮蔽手段３６のシート材３６ａを進退させるソレノイド３６ｂや、偏心カム１３６ｂや、ねじ軸を回動するモータ２３６ｄ等の駆動手段１１５に枚数情報を伝達する。
【００４９】
駆動手段１１５は、枚数カウンタ１１４でカウントする画像形成枚数が、予め決められた枚数に達すると、画像形成装置を停止して、シート材３６ａを、図２（ａ）から（ｂ）に移動して、溜まったトナーＴを排除する。排除がされ、（ａ）の状態に復帰したとき、枚数カウンタ１１４を０にし、新たに枚数をカウントし、画像形成動作を開始する。枚数カウンタ１１４が設定値に達するたびに、トナーＴを排除する。
【００５０】
なお、枚数カウンタ１１４が所定の枚数をカウントしたとき、ジョブの途中である場合、ジョブを中断してトナーを除去してもよく、ジョブの完了を待ってトナーの除去をするようにしてもよい。
【図面の簡単な説明】
【００５１】
【図１】本発明の画像形成装置の全体構成図である。
【図２】図１のＬＰＨの周辺部分を拡大した図で、（ａ）はシート材が通常の位置にある場合で、（ｂ）はシート材が堆積したトナーを除去する位置に移動した場合である。
【図３】本発明の第２実施例で、遮蔽手段が偏心カムで駆動される例を示し、（ａ）はシート材が通常の位置にある場合で、（ｂ）はシート材が堆積したトナーを除去する位置に移動した場合である。
【図４】本発明の第３実施例で、シート材がねじ軸で駆動される例である。
【図５】シート材の変化例で、（ａ）はカールのある場合、（ｂ）はカエリのある場合である。
【図６】シート材と感光体との接触角θを示す図である。
【図７】本発明の画像形成装置の制御系統のブロック図である。
【符号の説明】
【００５２】
１      感光体
３６    遮蔽手段
３６ａ  シート材
３６ｂ  ソレノイド
３７    架台
１００  画像形成装置
１１４  枚数カウンタ
１１５  駆動手段
１３６  遮蔽手段
１３６ｂ  偏心カム
２３６  遮蔽手段
２３６ｂ  ねじ軸
Ｃ        カール
Ｄ        カエリ
Ｔ        トナーの塊  
【図１】
2009075349.tif 000003
【図２】
2009075349.tif 000004
【図３】
2009075349.tif 000005
【図４】
2009075349.tif 000006
【図５】
2009075349.tif 000007
【図６】
2009075349.tif 000008
【図７】
2009075349.tif 000009